(57)【要約】【課題】多段に積まれたリブ管群の中からリブ管の取り出す際に、抜き取り装置を用いて一人の作業者で容易且つ迅速にリブ管を取り出すことができるようにする。【解決手段】板材の周面を凹形状に湾曲又は屈曲させ、その内周面に長手方向に延びたリブを複数列設し、凹形状をなす一側の端部外周面には鍔状に把持部を突出させ、他側の端部は先細り状に設けて抜き取り装置を形成する。多段に積み上げられたリブ管群の端部から、抜き取り装置を上下に重なったリブ管とリブ管の間に差し込んで、両リブ管のリブ同士の噛み合いをなくし、抜き取り装置で支持された上側のリブ管を管軸方向へ引っ張って抜き取る。【選択図】図１
2007231970.tif 000002
【特許請求の範囲】
【請求項１】
多段に積まれたリブ管群からリブ管を抜き取るための装置であって、
適宜な長さ及び幅を有する板材を長手方向の軸廻りに沿って周面を凹形状に湾曲又は屈曲させるとともに、凹形状をなす一側の端部外周面には鍔状に把持部を突出させ、他側の端部は先細り状に設けて形成されてなるリブ管の抜き取り装置。
【請求項２】
内周面に長手方向に延びたリブを複数列設して形成されてなる請求項１に記載のリブ管の抜き取り装置。
【発明の詳細な説明】
【技術分野】
【０００１】
本発明は、保管場所などで多段に積まれたリブ管群の中から、所望の一本のリブ管を抜き取る際に使用する装置に関する。
【背景技術】
【０００２】
外周面にリブを環状に突設して形成されたプラスチック製のリブ管は、軽量ながらも高い剛性を有し、電線や信号線などを地中に埋設する場合の保護管路や下水道配管路などに広く利用されている。
このようなリブ管は、保管庫などの資材保管施設や配管工事現場の資材置き場などで、多数個を互いに向きを管軸方向に揃えて腰の高さ程度まで多段に積み重ねて置いておかれる場合が多い。そして、積まれたリブ管群の中から使用するリブ管を取り出す作業は、二人の作業者がリブ管の前後端部を掴んで持ち上げ、そのままリブ管を持ち上げながら移動して行っており、リブ管を取り出すための専用の工具類は特に利用されていなかった。
【０００３】
なお、本出願時点において、独立行政法人工業所有権情報・研修館保有の特許情報データベース（特許電子図書館）を調査した範囲内では、リブ管の抜き取り装置に関する先行技術文献情報はない。
【発明の開示】
【発明が解決しようとする課題】
【０００４】
軽量なプラスチック製のリブ管は数メートルの長さに及ぶものでも、一人の作業者でも持ち運ぶことが可能である。多段に積まれたリブ管群の中からリブ管を取り出す作業も一人の作業者で行うことが可能であれば、リブ管を持ち運ぶ作業能率も向上する。
しかし、リブ管を多段に積むと、上下に重なり合うリブ管同士で外周面のリブが互いに噛み合わさってしまう。この場合に、上側のリブ管の外周面に形成された多数のリブのうちの一つでも下側のリブ管のリブと噛み合っていたのでは、上側のリブ管を管軸方向へスライドさせることができない。
そのため、例えば最上段に積まれたリブ管を取り出すときには、そのリブ管全体を上方へ持ち上げて、下側のリブ管との全てのリブの噛み合わせを解消しなければならず、最上段のリブ管を作業者が一人で持ち上げることは困難なことから、リブ管の両端を二人の作業者が協働して支持し、持ち上げねばならなかった。
【０００５】
本発明は従来技術の有するこのような問題点に鑑み、多段に積まれたリブ管群の中からのリブ管の抜き取り作業を、抜き取り装置を用いて一人の作業者でも容易且つ迅速に行えるようにし、リブ管を持ち運ぶ作業性の向上を図ることを課題とする。
【課題を解決するための手段】
【０００６】
前記課題を解決するため本発明は、多段に積まれたリブ管群からリブ管を抜き取るための装置であって、適宜な長さ及び幅を有する板材を長手方向の軸廻りに沿って周面を凹形状に湾曲又は屈曲させるとともに、凹形状をなす一側の端部外周面には鍔状に把持部を突出させ、他側の端部は先細り状に設けて形成されてなることを特徴とする。
前記構成において、凹形状に湾曲又は屈曲した板材の内周面には、その長手方向に延びたリブを複数列設してあることが好ましい。
【０００７】
これによれば、管軸方向を揃えて多段に積み上げられたリブ管群に対し、その一側の管端部から、本発明の抜き取り装置を上下に重なったリブ管とリブ管の間に差し込み、上側のリブ管を凹形状の内周面で支持する。上下リブ管の間に抜き取り装置を差し入れることで、上側のリブ管は抜き取り装置を挟んで下側のリブ管から浮いた状態となって両リブ管のリブ同士の噛み合いはなくなり、抜き取り装置で支持された上側のリブ管をそのまま管軸方向へ引っ張れば、リブ管は抜き取り装置上を滑って移動し、前記一側の管端部側にリブ管を抜き取ることができる。
【０００８】
抜き取り装置をリブ管とリブ管の間に差し込む操作は、装置端部に設けた把持部を掴んで行うことができ、また、この把持部を下側のリブ管のリブに係合させることにより、抜き取り装置で支持した上側のリブ管を引っ張る際に、前記リブに係合した把持部がストッパーとなって抜き取り装置がリブ管とともにスライドすることを防止し、抜き取り装置上で上側のリブ管のみをスライド移動させることができる。
また、抜き取り装置の把持部が設けられた側とは反対側の端部は、面取り加工などによって先細り状に設けてあるので、当該先細り状の端部を上下のリブ管の間に容易に差し込むことが可能である。
さらに、リブ管を支持する抜き取り装置の内周面に、その長手方向、つまりリブ管の管軸方向へ伸びたリブを列設すれば、リブ管外周のリブとの接触面積が小さくなって、前記内周面上に載るリブ管との摩擦抵抗は極めて小さなものとなり、抜き取り装置上でリブ管を滑らかにスライドさせることが可能である。
本発明の抜き取り装置は、その内周面に抜き取るリブ管が載り、その状態で当該リブ管と周囲のリブ管とが干渉しないように、リブ管の周囲を適宜な高さにまで覆う凹形状、例えばリブ管の外径よりも大径の円筒を縦に半割りした如き形状などに形成される。リブ管が抜き取り装置上に載って隣接する周囲のリブ管と隔てられ、抜き取り装置上でスライド移動させることが可能であれば、抜き取り装置の形状は、湾曲面や屈曲面、或いはこれらの面を組み合わせた適宜な形状に設けることが可能である。
なお、抜き取り装置の材質は、持ち運びや取り扱い操作のし易さから軽量なプラスチックを用いて成形することが好ましいが、木材やアルミニウムなどの金属材を用いてもよい。
【発明を実施するための最良の形態】
【０００９】
本発明の好適な一実施形態を図面を参照して説明する。
図１は本発明の一実施形態の抜き取り装置の外観図、図２はその横断面図と縦断面、図３は抜き取り装置を使用してリブ管を抜き取る工程を示した図、図４は抜き取り装置の他の形態の切断端面図であり、図中、符号１は抜き取り装置、Ｐはリブ管、ｒはリブ管Ｐの外周に形成されたリブを示している。
【００１０】
本形態の抜き取り装置１は、適宜な長さ及び幅を有する矩形板材を湾曲させた形状を呈するプラスチック成形板からなるものであり、図１に示されるように、板材全体をその長手方向の軸廻りに沿って所定の径の円弧に沿って弓形に湾曲させて、円筒を縦に半割りした如き凹形状に形成してある。
【００１１】
より詳しくは、図２（Ｂ）に示されるように、抜き取り装置１はリブ管Ｐの（リブの）外径（ｄ）よも大径（Ｄ）の円弧に沿って湾曲させてあり、その湾曲した内周面１３には、一側の端部１１から他側の端部１２の近傍に亘って平行に延びた４本のリブ１４を突設させ、また、前記端部１１の外周面の両側と中央部分とに外側へ鍔状に突出した把持部１５を一体に設け、さらに、前記他側の端部１２は面取り加工をして先細り状に設けて形成してある。
なお、抜き取り装置１の形成寸法は、抜き取るリブ管Ｐの大きさに応じて設定可能であり、例えばリブ管Ｐが長さ４ｍ、外径４００〜５００ｍｍ程度である場合、抜き取り装置１は長さ１．５ｍ、前記円弧（Ｄ）を６００ｍｍ程度に設定することができる。
【００１２】
このように形成された抜き取り装置１を使用したリブ管Ｐの抜き取り操作は、以下のようにして行うことができる。
【００１３】
図３において、管軸方向を揃えて多段に積み上げられたリブ管Ｐ群では、同図（Ａ）に示されるように、上下に重なる、或いは左右に隣接するリブ管Ｐ同士で外周のリブｒ同士が噛み合っており、この状態でリブ管Ｐを任意の方向へスライドさせることはできない。リブ管Ｐを抜き取るためには、リブｒ同士が噛み合わない位置までリブ管Ｐを持ち上げる必要がある。
【００１４】
かかるリブ管Ｐ群に対し、先ず、同図（Ｂ）に示されるように、最上段のリブ管Ｐの管端部を把持して当該端部を僅かに持ち上げ、当該リブ管Ｐの下に重なったリブ管Ｐとの間に出来た隙間に、抜き取り装置１の内周面１３を上にして先細り状の端部１２を差し込み、そのまま管軸方向へ押し込んで、上下に重なった両リブ管Ｐの間に抜き取り装置１を圧入する。
【００１５】
抜き取り装置１を差し込む操作は、片手で最上段のリブ管Ｐの端部を持ち上げながら、片手で把持部１５を摘んで抜き取り装置１を支持し、上下リブ管Ｐ間の隙間に端部１２を差し入れて行うことができる。この際、抜き取り装置１の湾曲した内周面１３が、持ち上げられたリブ管Ｐの外周下側に接して当該リブ管Ｐの下側に位置決めされるので、把持部１５を管軸方向へ押し込めば、先細り状の端部１２が噛み合ったリブ管Ｐのリブｒを上下に分離させながら上下リブ管Ｐの間に押し入って、抜き取り装置１が上側のリブ管Ｐの外周に沿って水平にスライドし、上下リブ管Ｐの間に圧入させることができる。
管端部からの圧入深さは、例えば４ｍ程度の長さのリブ管Ｐの場合、抜き取り装置１の端部１１が管端部から管軸方向に沿って５０ｃｍ〜１ｍ程度の位置に達する深さまで押し込めばよい。
【００１６】
同図（Ｃ）に示されるように、抜き取り装置１を上下リブ管Ｐの間に差し入れた状態で、上側のリブ管Ｐは前記内周面１３のリブ１４上で支持され、また、上方を除く上側のリブ管Ｐの周囲が内周面１３で覆われて、当該リブ管Ｐとその周囲の隣接リブ管Ｐとでリブｒ同士が噛み合う部分はなくなる。
また、端部１１の外周に設けられた把持部１５が下側のリブ管Ｐのリブｒと係合するので、抜き取り装置１は係合位置の下側のリブ管Ｐ上に保持される。
【００１７】
そして、抜き取り装置１上に載ったリブ管Ｐの管端部を両手で持って、これを管軸方向に沿って水平に引っ張れば、同図（Ｄ）に示されるように、リブ管Ｐは抜き取り装置１上を滑って移動し、積み上げられたリブ管Ｐ群の中から引き抜くことができる。
【００１８】
以上の抜き取り操作は、一人の作業者によって行うことが可能であり、従来の如くリブ管Ｐの両端を二人の作業者が協働して支持し持ち上げる操作は不要となることから、リブ管Ｐを持ち運ぶ作業性が改善され、リブ管Ｐの管理や運搬に要するコストの削減が可能となる。
【００１９】
なお、抜き取り装置１は、前述の如く円弧に沿って湾曲させた形状の他に、例えば図４に示されるように、断面の縁取りが湾曲した皿形状となるもの（同図（Ａ））、屈曲した箱形状となるもの（同図（Ｂ））などの、抜き取るリブ管Ｐをこれと隣接する周囲のリブ管Ｐとを隔てることが可能な適宜な形状に形成することができる。
【図面の簡単な説明】
【００２０】
【図１】本発明の一実施形態の抜き取り装置の外観図である。
【図２】図１の抜き取り装置の横断面図とＢ−Ｂ線に沿った縦断面である。
【図３】図１の抜き取り装置を使用してリブ管を抜き取る工程を、装置とリブ管の要部を破断して示した図である。
【図４】（Ａ）、（Ｂ）は抜き取り装置の他の形態の切断端面図である。
【符号の説明】
【００２１】
１  抜き取り装置、１１，１２  端部、１３  内周面、１４  リブ、１５  把持部、Ｐ  リブ管、ｒ  リブ
【図１】
2007231970.tif 000003
【図２】
2007231970.tif 000004
【図３】
2007231970.tif 000005
【図４】
2007231970.tif 000006